(57)【特許請求の範囲】
【請求項１】
本体を含み、前記本体の中には伝動空間が設けられ、前記伝動空間の中には駆動装置が設けられ、前記駆動装置の右端には連結装置が噛み合い、前記伝動空間の下内壁の中には位置制限溝が前記伝動空間と連通になるように形成され、前記位置制限溝の中には発生装置が設けられ、前記連結装置は二本の牽引縄を介して前記発生装置に連結され、前記連結装置の前後両端には調節装置が対称になるように連結され、
前記発生装置の中には位置調整ばねと強度調整ばねとが設けられ、前記位置調整ばねと前記強度調整ばねとはエネルギーを蓄積でき且つ振動の発生に用いられ、前記位置制限溝の下内壁の中には摺動案内溝が前記位置制限溝と連通になるように形成され、前記摺動案内溝の下内壁の中には密封空間が前記摺動案内溝と連通になるように設けられ、前記密封空間の中には密封板が摺動可能に設けられ、前記発生装置に含まれる摺動棒は下端が前記摺動案内溝を通って前記密封板に固定的連結され、
前記強度調整ばねは前記摺動棒の上端に固定的に連結され、前記強度調整ばねの弾力により前記摺動棒は摺動でき、前記密封空間の下内壁には気圧ばねが固定的に連結され、前記気圧ばねはリアルタイムに前記密封空間の内部気圧を監視でき、前記摺動棒が前記密封板を連動させて摺動させ且つ前記密封空間の内部気圧を変えられ、前記本体の下端には信号センサが固定的に連結され、前記信号センサは前記気圧ばねに通電可能に連結され、
前記本体の中には下方に開口する凹溝が形成され、前記凹溝の中にはボタンが摺動可能に設けられ、前記凹溝の上内壁の中には接触スイッチが固定的に設けられ、前記接触スイッチは前記駆動装置に通電可能に連結され、前記ボタンと前記接触スイッチとは圧縮ばねによって固定的に連結されていることを特徴とする調節可能なパルス信号発生システム。
【請求項２】
前記伝動空間の中には案内輪が回動可能に設けられ、前記案内輪の中には回転軸が固定的に連結され、前記回転軸の前後両端は前記伝動空間の前後内壁に回動可能に連結されていることを特徴とする請求項１に記載の調節可能なパルス信号発生システム。
【請求項３】
前記駆動装置は前記伝動空間の中に回動可能に設けられた扇形歯車を含み、前記扇形歯車の左端にはモータ軸が固定的に連結され、前記伝動空間の左内壁の中にはモータが固定的に設けられ、前記モータ軸の左端は前記モータに伝動可能に連結され、
前記扇形歯車の右端には平歯車が前記扇形歯車と噛み合えるように設けられ、前記平歯車の右端には従動軸が固定的に連結され、前記従動軸の右端には駆動歯車が固定的に連結され、前記駆動歯車の前端は前記連結装置に含まれる従動歯車に噛み合っていることを特徴とする請求項１に記載の調節可能なパルス信号発生システム。
【請求項４】
前記連結装置は前記伝動空間の中に前後対称になるように且つ回動可能に設けられたリールを含み、前記リールにおいて対称中心から離れた端には支持軸が固定的に連結され、前記支持軸において対称中心から離れた端はそれぞれ前記伝動空間の両側内壁に回動可能に連結され、前記リールにおいて対称中心から離れた端は前記調節装置に連結され、
前記従動歯車の前端には連結軸が固定的に連結され、前記連結軸の前端は前側の前記リールに固定的に連結され、二本の前記牽引縄は左端がそれぞれ両側の前記リールに巻かれ、前記牽引縄は右端が前記発生装置に連結されていることを特徴とする請求項１に記載の調節可能なパルス信号発生システム。
【請求項５】
前記調節装置は、前記リールの中に設けられ且つ対称中心に背向して開口する噛合穴を含み、前記支持軸の中には貫通穴が前記支持軸を前後貫通するように設けられ、前記貫通穴と前記噛合穴との間には摺動歯車が摺動可能に設けられ、
前記摺動歯車において対称中心から離れた端にはコンロッドが固定的に連結され、前記本体の中には背向に開口する二つの連結溝が前後対称になるように形成され、前記連結溝の中には片方向輪が摺動可能に設けられ、前記コンロッドにおいて対称中心から離れた端は前記片方向輪に固定的に連結され、前記片方向輪において対称中心から離れた端には手動スライダが固定的に連結されていることを特徴とする請求項１に記載の調節可能なパルス信号発生システム。
【請求項６】
前記連結溝の円形内壁の中には前記連結溝と連通する収納溝が九つ環になるように配列され、前記収納溝の中には歯止めが回動可能に設けられ、前記歯止めの中には捻り軸が固定的に連結され、前記捻り軸の前後両端は前記収納溝の前後内壁の間に回動可能に連結され、前記歯止めの前後両端と前記収納溝の前後内壁とは捻りばねによって固定的に連結されていることを特徴とする請求項５に記載の調節可能なパルス信号発生システム。
【請求項７】
前記発生装置は前記位置制限溝の中に摺動可能に設けられた位置制限スライダを含み、後側の前記牽引縄は下端が前記位置制限スライダに固定的に連結され、前記位置調整ばねにより前記位置制限スライダと前記位置制限溝の内壁とが固定的連結され、
前記位置制限スライダの中にはばね溝が形成され、前記摺動棒は上方へ前記ばね溝に延在し且つ前記ばね溝に沿って摺動でき、前記強度調整ばねにより前記摺動棒の上端と前記ばね溝の上内壁とは固定的に連結され、前側の前記牽引縄は下端が前記摺動棒に固定的に連結されていることを特徴とする請求項１に記載の調節可能なパルス信号発生システム。
【発明の詳細な説明】
【技術分野】
【０００１】
本願発明は信号分野を取り上げ、特に調節可能なパルス信号発生システムに関わる。
【背景技術】
【０００２】
パルス信号とは、短時間に急峻な変化をする信号を指す。様々な形状を有し、通常のアナログ信号に比べ、波形と波形の間には著しい隔たりがある。パルス信号はメッセージを表すことができ、搬送波としても働ける。パルス信号の強度とは、信号波形の振幅を指す。通常のパルス信号発生器は、いくつかの特定したパルス信号しか発生させられなく、利用できるパルス信号の数は限られているため、時に利用者の需要には応えられない。本願発明は上記問題を解決できる。
【先行技術文献】
【特許文献】
【０００３】
【特許文献１】中国特許出願公開第１０２２１００６０号明細書
【発明の概要】
【発明が解決しようとする課題】
【０００４】
通常のパルス信号発生器は、いくつかの特定したパルス信号しか発生させられなく、時に利用者の需要には応えられない。
【課題を解決するための手段】
【０００５】
本願に記載の調節可能なパルス信号発生システムは、本体を含み、前記本体の中には伝動空間が設けられ、前記伝動空間の中には駆動装置が設けられ、前記駆動装置の右端には連結装置が噛み合い、前記伝動空間の下内壁の中には位置制限溝が前記伝動空間と連通になるように形成され、前記位置制限溝の中には発生装置が設けられ、前記連結装置は二本の牽引縄を介して前記発生装置に連結され、前記連結装置の前後両端には調節装置が対称になるように連結され、前記調節装置を手動で作動させ、前記調節装置は前記連結装置によって前記発生装置の初期エネルギー蓄積状態を調節でき、前記駆動装置が前記連結装置を駆動したら、二本の前記牽引縄を引いて前記発生装置を連動させ、前記発生装置の中には位置調整ばねと強度調整ばねとが設けられ、前記位置調整ばねと前記強度調整ばねとはエネルギーを蓄積でき且つ振動の発生に用いられ、前記位置制限溝の下内壁の中には摺動案内溝が前記位置制限溝と連通になるように形成され、前記摺動案内溝の下内壁の中には密封空間が前記摺動案内溝と連通になるように設けられ、前記密封空間の中には密封板が摺動可能に設けられ、前記発生装置に含まれる摺動棒は下端が前記摺動案内溝を通って前記密封板に固定的連結され、前記摺動案内溝は前記摺動棒の摺動を案内でき、前記強度調整ばねは前記摺動棒の上端に固定的に連結され、前記強度調整ばねの弾力により前記摺動棒は摺動でき、前記密封空間の下内壁には気圧ばねが固定的に連結され、前記気圧ばねはリアルタイムに前記密封空間の内部気圧を監視でき、前記摺動棒が前記密封板を連動させて摺動させ且つ前記密封空間の内部気圧を変えられ、前記本体の下端には信号センサが固定的に連結され、前記信号センサは前記気圧ばねに通電可能に連結され、前記信号センサは前記気圧ばねが監視できた前記密封空間の内部気圧の最高値と最低値に応じ、対応強度のパルス信号を発することができ、前記本体の中には下方に開口する凹溝が形成され、前記凹溝の中にはボタンが摺動可能に設けられ、前記凹溝の上内壁の中には接触スイッチが固定的に設けられ、前記接触スイッチは前記駆動装置に通電可能に連結され、前記ボタンと前記接触スイッチとは圧縮ばねによって固定的に連結され、前記ボタンを押し動かし、前記ボタンが前記接触スイッチと接触したら、前記駆動装置が作動し、前記ボタンを放すると、前記圧縮ばねの弾力により、前記ボタンは前記接触スイッチから離脱し、ここで前記駆動装置は止められ、人力で前記駆動装置の始動と作業頻度を制御できるため、可制御性が優れている。
【０００６】
好ましくは、前記伝動空間の中には案内輪が回動可能に設けられ、前記案内輪の中には回転軸が固定的に連結され、前記回転軸の前後両端は前記伝動空間の前後内壁に回動可能に連結され、前記案内輪は前記牽引縄を案内できる。
【０００７】
前記駆動装置は前記伝動空間の中に回動可能に設けられた扇形歯車を含み、前記扇形歯車の左端にはモータ軸が固定的に連結され、前記伝動空間の左内壁の中にはモータが固定的に設けられ、前記モータ軸の左端は前記モータに伝動可能に連結され、前記扇形歯車の右端には平歯車が前記扇形歯車と噛み合えるように設けられ、前記平歯車の右端には従動軸が固定的に連結され、前記従動軸の右端には駆動歯車が固定的に連結され、前記駆動歯車の前端は前記連結装置に含まれる従動歯車に噛み合い、前記モータを作動させ、前記モータは前記モータ軸により前記扇形歯車を回転させ、そして前記平歯車は連動して回転し、前記従動軸により前記駆動歯車を回転させ、続いて前記従動歯車は連動して回転し且つ前記連結装置を連動させられ、前記扇形歯車は前記平歯車と噛み合う度に前記平歯車に同じ角度を回転させるため、前記連結装置により前記発生装置に送られたエネルギー量が同じである。
【０００８】
前記連結装置は前記伝動空間の中に前後対称になるように且つ回動可能に設けられたリールを含み、前記リールにおいて対称中心から離れた端には支持軸が固定的に連結され、前記支持軸において対称中心から離れた端はそれぞれ前記伝動空間の両側内壁に回動可能に連結され、前記リールにおいて対称中心から離れた端は前記調節装置に連結され、前記従動歯車の前端には連結軸が固定的に連結され、前記連結軸の前端は前側の前記リールに固定的に連結され、二本の前記牽引縄は左端がそれぞれ両側の前記リールに巻かれ、前記牽引縄は右端が前記発生装置に連結され、前記調節装置を手動で作動させ、前記調節装置は前記リールを連動させて回転させ、そして前記牽引縄により前記発生装置は連動して前記発生装置の初期エネルギー蓄積状態を調節し、前記駆動歯車は前記従動歯車を回転させ、そして前記連結軸により前側の前記リールは連動して回転し、さらに前側の前記牽引縄により前記発生装置は連動して前記強度調整ばねによりエネルギーを蓄積する。
【０００９】
前記調節装置は、前記リールの中に設けられ且つ対称中心に背向して開口する噛合穴を含み、前記支持軸の中には貫通穴が前記支持軸を前後貫通するように設けられ、前記貫通穴と前記噛合穴との間には摺動歯車が摺動可能に設けられ、前記摺動歯車が前記噛合穴に滑り入ると、前記リールと連結でき、前記摺動歯車において対称中心から離れた端にはコンロッドが固定的に連結され、前記本体の中には背向に開口する二つの連結溝が前後対称になるように形成され、前記連結溝の中には片方向輪が摺動可能に設けられ、前記コンロッドにおいて対称中心から離れた端は前記片方向輪に固定的に連結され、前記片方向輪において対称中心から離れた端には手動スライダが固定的に連結され、前記片方向輪が前記連結溝に位置する時に片方向へしか回転できなく、且つここで前記摺動歯車は前記リールと連結し、さらに前記手動スライダを回すと、前記片方向輪は連動して回転し、前記コンロッドにより前記摺動歯車を回転させ、そして前記リールは連動して回転し、前記牽引縄を引いて前記発生装置に含まれる前記位置調整ばねと前記強度調整ばねとにエネルギーを蓄えさせる。
【００１０】
好ましくは、前記連結溝の円形内壁の中には前記連結溝と連通する収納溝が九つ環になるように配列され、前記収納溝の中には歯止めが回動可能に設けられ、前記歯止めの中には捻り軸が固定的に連結され、前記捻り軸の前後両端は前記収納溝の前後内壁の間に回動可能に連結され、前記歯止めの前後両端と前記収納溝の前後内壁とは捻りばねによって固定的に連結され、前記片方向輪が反時計回りに回転すると、前記歯止めは押されて回転し、前記収納溝に入り且つ前記捻りばねを捻り、前記片方向輪が前記歯止めから離脱すると、前記捻りばねの弾力により、前記歯止めは回転して改めて前記連結溝に入り、また、前記片方向輪が時計回りに回転すると、前記歯止めは前記片方向輪を止め、前記片方向輪は時計回りに回転できない。
【００１１】
前記発生装置は前記位置制限溝の中に摺動可能に設けられた位置制限スライダを含み、後側の前記牽引縄は下端が前記位置制限スライダに固定的に連結され、前記位置調整ばねにより前記位置制限スライダと前記位置制限溝の内壁とが固定的連結され、前記位置制限スライダの中にはばね溝が形成され、前記摺動棒は上方へ前記ばね溝に延在し且つ前記ばね溝に沿って摺動でき、前記強度調整ばねにより前記摺動棒の上端と前記ばね溝の上内壁とは固定的に連結され、前側の前記牽引縄は下端が前記摺動棒に固定的に連結され、前側の前記牽引縄が前記摺動棒を引いて上昇させ且つ前記強度調整ばねは圧縮され、そして前記摺動棒は前記強度調整ばねの弾力により下方へ摺動し、後側の前記牽引縄は前記位置制限スライダを引いて上昇させ且つ前記位置制限ばねが圧縮され、また、前記摺動棒と前記密封板は連動して上昇し、即ち前記密封板が前記密封空間での初期位置は調整され、従い、前記密封空間において前記密封板の下側に位置する部分の初期気圧は変わる。
【発明の効果】
【００１２】
本発明は以下のプラス効果を有する：本願発明は連続的な振幅数値を有するパルス信号を発生させられ、全面的に利用者の需要に応えられ、また、駆動や停止が簡単に操作でき、使用が便利である。
【図面の簡単な説明】
【００１３】
下記に図１〜７を合わせて本発明について詳しく説明し、便利に説明するために、本願に記載の各方向を以下のように規定する：図１は本願発明の正面図であり、本願に記載の各方向は、図１における観察方向に基づくものである。
【００１４】
【図１】図１は本願発明の全体構成略図
【図２】図２は図１におけるＡの拡大略図
【図３】図３は図１におけるＢ―Ｂ方向からの構成略図
【図４】図４は図１におけるＣ―Ｃ方向からの構成略図
【図５】図５は図２におけるＤ―Ｄ方向からの構成略図
【図６】図６は図３におけるＥ―Ｅ方向からの構成略図
【図７】図７は図６におけるＦ―Ｆ方向からの構成略図
【発明を実施するための形態】
【００１５】
本願発明は調節可能なパルス信号発生システムを取り上げ、主に特定のパルス信号を発生させる作業に応用され、以下に図面を合わせて本願発明について詳しく説明を行う。
【００１６】
本願に記載の調節可能なパルス信号発生システムは、本体１１を含み、前記本体１１の中には伝動空間１３が設けられ、前記伝動空間１３の中には駆動装置１０１が設けられ、前記駆動装置１０１の右端には連結装置１００が噛み合い、前記伝動空間１３の下内壁の中には位置制限溝１６が前記伝動空間１３と連通になるように形成され、前記位置制限溝１６の中には発生装置１０２が設けられ、前記連結装置１００は二本の牽引縄１２を介して前記発生装置１０２に連結され、前記連結装置１００の前後両端には調節装置１０３が対称になるように連結され、前記調節装置１０３を手動で作動させ、前記調節装置１０３は前記連結装置１００によって前記発生装置１０２の初期エネルギー蓄積状態を調節でき、前記駆動装置１０１が前記連結装置１００を駆動したら、二本の前記牽引縄１２を引いて前記発生装置１０２を連動させ、前記発生装置１０２の中には位置調整ばね１７と強度調整ばね１８とが設けられ、前記位置調整ばね１７と前記強度調整ばね１８とはエネルギーを蓄積でき且つ振動の発生に用いられ、前記位置制限溝１６の下内壁の中には摺動案内溝２０が前記位置制限溝１６と連通になるように形成され、前記摺動案内溝２０の下内壁の中には密封空間２１が前記摺動案内溝２０と連通になるように設けられ、前記密封空間２１の中には密封板２２が摺動可能に設けられ、前記発生装置１０２に含まれる摺動棒２６は下端が前記摺動案内溝２０を通って前記密封板２２に固定的連結され、前記摺動案内溝２０は前記摺動棒２６の摺動を案内でき、前記強度調整ばね１８は前記摺動棒２６の上端に固定的に連結され、前記強度調整ばね１８の弾力により前記摺動棒２６は摺動でき、前記密封空間２１の下内壁には気圧ばね２３が固定的に連結され、前記気圧ばね２３はリアルタイムに前記密封空間２１の内部気圧を監視でき、前記摺動棒２６が前記密封板２２を連動させて摺動させ且つ前記密封空間２１の内部気圧を変えられ、前記本体１１の下端には信号センサ２４が固定的に連結され、前記信号センサ２４は前記気圧ばね２３に通電可能に連結され、前記信号センサ２４は前記気圧ばね２３が監視できた前記密封空間２１の内部気圧の最高値と最低値に応じ、対応強度のパルス信号を発することができ、前記本体１１の中には下方に開口する凹溝３３が形成され、前記凹溝３３の中にはボタン３１が摺動可能に設けられ、前記凹溝３３の上内壁の中には接触スイッチ３０が固定的に設けられ、前記接触スイッチ３０は前記駆動装置１０１に通電可能に連結され、前記ボタン３１と前記接触スイッチ３０とは圧縮ばね３２によって固定的に連結され、前記ボタン３１を押し動かし、前記ボタン３１が前記接触スイッチ３０と接触したら、前記駆動装置１０１が作動し、前記ボタン３１を放すると、前記圧縮ばね３２の弾力により、前記ボタン３１は前記接触スイッチ３０から離脱し、ここで前記駆動装置１０１は止められ、人力で前記駆動装置１０１の始動と作業頻度を制御できるため、可制御性が優れている。
【００１７】
好ましくは、前記伝動空間１３の中には案内輪１４が回動可能に設けられ、前記案内輪１４の中には回転軸１５が固定的に連結され、前記回転軸１５の前後両端は前記伝動空間１３の前後内壁に回動可能に連結され、前記案内輪１４は前記牽引縄１２を案内できる。
【００１８】
前記駆動装置１０１は前記伝動空間１３の中に回動可能に設けられた扇形歯車４８を含み、前記扇形歯車４８の左端にはモータ軸４７が固定的に連結され、前記伝動空間１３の左内壁の中にはモータ４６が固定的に設けられ、前記モータ軸４７の左端は前記モータ４６に伝動可能に連結され、前記扇形歯車４８の右端には平歯車３４が前記扇形歯車４８と噛み合えるように設けられ、前記平歯車３４の右端には従動軸３５が固定的に連結され、前記従動軸３５の右端には駆動歯車４１が固定的に連結され、前記駆動歯車４１の前端は前記連結装置１００に含まれる従動歯車３６に噛み合い、前記モータ４６を作動させ、前記モータ４６は前記モータ軸４７により前記扇形歯車４８を回転させ、そして前記平歯車３４は連動して回転し、前記従動軸３５により前記駆動歯車４１を回転させ、続いて前記従動歯車３６は連動して回転し且つ前記連結装置１００を連動させられ、前記扇形歯車４８は前記平歯車３４と噛み合う度に前記平歯車３４に同じ角度を回転させるため、前記連結装置１００により前記発生装置１０２に送られたエネルギー量が同じである。
【００１９】
前記連結装置１００は前記伝動空間１３の中に前後対称になるように且つ回動可能に設けられたリール２９を含み、前記リール２９において対称中心から離れた端には支持軸４５が固定的に連結され、前記支持軸４５において対称中心から離れた端はそれぞれ前記伝動空間１３の両側内壁に回動可能に連結され、前記リール２９において対称中心から離れた端は前記調節装置１０３に連結され、前記従動歯車３６の前端には連結軸２８が固定的に連結され、前記連結軸２８の前端は前側の前記リール２９に固定的に連結され、二本の前記牽引縄１２は左端がそれぞれ両側の前記リール２９に巻かれ、前記牽引縄１２は右端が前記発生装置１０２に連結され、前記調節装置１０３を手動で作動させ、前記調節装置１０３は前記リール２９を連動させて回転させ、そして前記牽引縄１２により前記発生装置１０２は連動して前記発生装置１０２の初期エネルギー蓄積状態を調節し、前記駆動歯車４１は前記従動歯車３６を回転させ、そして前記連結軸２８により前側の前記リール２９は連動して回転し、さらに前側の前記牽引縄１２により前記発生装置１０２は連動して前記強度調整ばね１８によりエネルギーを蓄積する。  
【００２０】
前記調節装置１０３は、前記リール２９の中に設けられ且つ対称中心に背向して開口する噛合穴４０を含み、前記支持軸４５の中には貫通穴４３が前記支持軸４５を前後貫通するように設けられ、前記貫通穴４３と前記噛合穴４０との間には摺動歯車４２が摺動可能に設けられ、前記摺動歯車４２が前記噛合穴４０に滑り入ると、前記リール２９と連結でき、前記摺動歯車４２において対称中心から離れた端にはコンロッド４４が固定的に連結され、前記本体１１の中には背向に開口する二つの連結溝３９が前後対称になるように形成され、前記連結溝３９の中には片方向輪３７が摺動可能に設けられ、前記コンロッド４４において対称中心から離れた端は前記片方向輪３７に固定的に連結され、前記片方向輪３７において対称中心から離れた端には手動スライダ３８が固定的に連結され、前記片方向輪３７が前記連結溝３９に位置する時に片方向へしか回転できなく、且つここで前記摺動歯車４２は前記リール２９と連結し、さらに前記手動スライダ３８を回すと、前記片方向輪３７は連動して回転し、前記コンロッド４４により前記摺動歯車４２を回転させ、そして前記リール２９は連動して回転し、前記牽引縄１２を引いて前記発生装置１０２に含まれる前記位置調整ばね１７と前記強度調整ばね１８とにエネルギーを蓄えさせる。
【００２１】
好ましくは、前記連結溝３９の円形内壁の中には前記連結溝３９と連通する収納溝５１が九つ環になるように配列され、前記収納溝５１の中には歯止め５０が回動可能に設けられ、前記歯止め５０の中には捻り軸４９が固定的に連結され、前記捻り軸４９の前後両端は前記収納溝５１の前後内壁の間に回動可能に連結され、前記歯止め５０の前後両端と前記収納溝５１の前後内壁とは捻りばね５２によって固定的に連結され、前記片方向輪３７が反時計回りに回転すると、前記歯止め５０は押されて回転し、前記収納溝５１に入り且つ前記捻りばね５２を捻り、前記片方向輪３７が前記歯止め５０から離脱すると、前記捻りばね５２の弾力により、前記歯止め５０は回転して改めて前記連結溝３９に入り、また、前記片方向輪３７が時計回りに回転すると、前記歯止め５０は前記片方向輪３７を止め、前記片方向輪３７は時計回りに回転できない。
【００２２】
前記発生装置１０２は前記位置制限溝１６の中に摺動可能に設けられた位置制限スライダ２７を含み、後側の前記牽引縄１２は下端が前記位置制限スライダ２７に固定的に連結され、前記位置調整ばね１７により前記位置制限スライダ２７と前記位置制限溝１６の内壁とが固定的連結され、前記位置制限スライダ２７の中にはばね溝１９が形成され、前記摺動棒２６は上方へ前記ばね溝１９に延在し且つ前記ばね溝１９に沿って摺動でき、前記強度調整ばね１８により前記摺動棒２６の上端と前記ばね溝１９の上内壁とは固定的に連結され、前側の前記牽引縄１２は下端が前記摺動棒２６に固定的に連結され、前側の前記牽引縄１２が前記摺動棒２６を引いて上昇させ且つ前記強度調整ばね１８は圧縮され、そして前記摺動棒２６は前記強度調整ばね１８の弾力により下方へ摺動し、後側の前記牽引縄１２は前記位置制限スライダ２７を引いて上昇させ且つ前記位置制限ばね１７が圧縮され、また、前記摺動棒２６と前記密封板２２は連動して上昇し、即ち前記密封板２２が前記密封空間２１での初期位置は調整され、従い、前記密封空間２１において前記密封板２２の下側に位置する部分の初期気圧は変わる。
【００２３】
本願発明の作動手順は以下の通りである。
【００２４】
はじめに、位置調整ばね１７と強度調整ばね１８とは自由状態にあり、密封板２２、摺動棒２６、位置制限スライダ２７は下限位置にあり、ボタン３１は接触スライダ３０と接触しておらず、扇形歯車４８は平歯車３４と噛み合っておらず、片方向輪３７は連結溝３９の外側に位置する。
【００２５】
使用するには、手動スライダ３８を押し、片方向輪３７は連動して連結溝３９に滑り入って歯止め５０と連結し、また、コンロッド４４により摺動歯車４２は噛合穴４０に滑り入ってリール２９と連結し、ここで利用者の需要に応じて手動スライダ３８を反時計回りに回し、片方向輪３７は反時計回りに回転し、コンロッド４４により摺動歯車４２を回転させてリール２９も回転させ、そして牽引縄１２は引かれて位置制限スライダ２７と摺動棒２６とを上昇させ、位置制限スライダ２７は上昇し且つ位置調整ばね１７を圧縮し、また、摺動棒２６と密封板２２とは連動して上昇し、密封板２２の下側の気圧を弱め、即ちパルス信号の最低値を下げられ、気圧ばね２３により密封板２２の下側の気圧値が信号センサ２４に送られ、また、摺動棒２６はばね溝１９の中で摺動し且つ強度調整ばね１８を圧縮し、強度調整ばね１８はエネルギーを蓄え、パルス信号の最高値を上げられ、ここで歯止め５０により片方向輪３７を止め、片方向輪３７は時計回りに回転できない。
【００２６】
前側の手動スライダ３８を引き出し、前側の摺動歯車４２はつれて前側のリール２９から離脱し、ここで強度調整ばね１８の弾力により、摺動棒２６と密封板２２とは押されて下方へ摺動し、密封板２２の下側の気体が圧縮され、気圧ばね２３により密封板２２の下側の気圧値を感知し、且つ気圧最高値は信号センサ２４に送られ、そして信号センサ２４は密封板２２の下側の気圧の最高値と最低値とに応じて対応強度のパルス信号を発し、また、ボタン３１を押し、ボタン３１を接触スイッチ３０に接触させてモータ４６を作動させ、モータ４６はモータ軸４７により扇形歯車４８を回転させ、そして平歯車３４は連動して回転し、従動軸３５により駆動歯車４１を回転させ、続いて従動歯車３６は連動して回転し、連結軸２８により前側のリール２９を回転させ、さらに前側の牽引縄１２により摺動棒２６と密封板２２とは連動して改めて上昇し且つ強度調整ばね１８を圧縮し、扇形歯車４８が平歯車３４からもう一度離脱すると、摺動棒２６と密封板２２とは強度調整ばね１８の弾力により往復に上下摺動し、即ち周期的にパルス信号を発することができる。
【００２７】
ボタン３１を放し、圧縮ばね３２の弾力により、ボタン３１は接触スイッチ３０から離脱し、ここでモータ４６を止め、パルス信号の発生も止まる。
【００２８】
以上の方式により、当該分野の従業員は本願発明の範囲内で作業状況に応じて様々な改変を加えることができる。
【要約】
【課題】本願は調節可能なパルス信号発生システムを開示した。
【解決手段】
本願に記載の調節可能なパルス信号発生システムは、本体を含み、前記本体の中には伝動空間が設けられ、前記伝動空間の中には駆動装置が設けられ、前記駆動装置の右端には連結装置が噛み合い、前記伝動空間の下内壁の中には位置制限溝が前記伝動空間と連通になるように形成され、前記位置制限溝の中には発生装置が設けられ、前記連結装置は二本の牽引縄を介して前記発生装置に連結され、前記連結装置の前後両端には調節装置が対称になるように連結され、前記調節装置を手動で作動させ、前記調節装置は前記連結装置によって前記発生装置の初期エネルギー蓄積状態を調節でき、前記駆動装置が前記連結装置を駆動したら、二本の前記牽引縄を引いて前記発生装置を連動させる。
【選択図】図１【図１】
0006754066.tif 000002
【図２】
0006754066.tif 000003
【図３】
0006754066.tif 000004
【図４】
0006754066.tif 000005
【図５】
0006754066.tif 000006
【図６】
0006754066.tif 000007
【図７】
0006754066.tif 000008